(57)【要約】【課題】排気ガスの流れ方向における排気熱回収媒体流路の端での排気熱回収媒体のよどみの発生を防止することで、上記排気熱回収媒体流路の端での排気熱回収媒体の沸騰を防止することができる排気熱回収器を提供する。【解決手段】排気ガスが内部を流れる内側部材３と、環状に形成され、内側部材３の外周の少なくとも一部を囲むように内側部材３の外側に形成された排気熱回収媒体流路１７と  を有し、排気熱回収媒体流路１７の端部１９では、排気熱回収媒体流路１７の外径Ｄ１が次第に小さくなっているとともに、この小さくなる割合が次第に小さくなっている排気熱回収器１である。【選択図】図１
2017015044.tif 000002
【特許請求の範囲】
【請求項１】
排気ガスが内部を流れる内側部材と、
環状に形成され、前記内側部材の外周の少なくとも一部を囲むように前記内側部材の外側に形成された排気熱回収媒体流路と、
を有し、前記排気熱回収媒体流路の端部では、前記排気熱回収媒体流路の外径が次第に小さくなっているとともに、この小さくなる割合が次第に小さくなっていることを特徴とする排気熱回収器。
【請求項２】
請求項１に記載の排気熱回収器において、
前記排気熱回収媒体流路の端部における外周部の断面形状は、円弧状に形成されていることを特徴とする排気熱回収器。
【請求項３】
請求項２に記載の排気熱回収器において、
前記円弧状の円弧の半径は３ｍｍ以下であることを特徴とする排気熱回収器。
【請求項４】
請求項１〜請求項３のいずれか１項に記載の排気熱回収器において、
前記内側部材の内部には、排気熱回収部材が設けられており、
前記排気ガスの流れ方向で、前記排気熱回収媒体流路の上流側端が前記排気熱回収部材の上流側端よりも上流側に位置していることを特徴とする排気熱回収器。
【発明の詳細な説明】
【技術分野】
【０００１】
本発明は、排気熱回収器に係り、特に、内管の外側に環状の排気熱回収媒体流路が設けられているものに関する。
【背景技術】
【０００２】
従来、内部を排気ガスが流れる内管の内部に、排気ガスが通過することで排気ガスの熱を回収する排気熱回収体を設置し、内管の外側に外管を設けることで内管の外周部に排気熱回収媒体流路を形成している排気熱回収器が知られている（たとえば、特許文献１の図１０参照）。
【先行技術文献】
【特許文献】
【０００３】
【特許文献１】特開２０１０−２２９８４７号公報
【発明の概要】
【発明が解決しようとする課題】
【０００４】
ところで、従来の排気熱回収器では、排気ガスの流れ方向における排気熱回収媒体流路の端で、排気熱回収媒体流路を流れる排気熱回収媒体のよどみが発生しやすく、このよどみの発生により、上記排気熱回収媒体流路の端で排気熱回収媒体が沸騰してしまうという問題がある。
【０００５】
本発明は、上記問題点に鑑みてなされたものであり、排気ガスの流れ方向における排気熱回収媒体流路の端での排気熱回収媒体のよどみの発生を防止することで、上記排気熱回収媒体流路の端での排気熱回収媒体の沸騰を防止することができる排気熱回収器を提供することを目的とする。
【課題を解決するための手段】
【０００６】
本発明は、排気ガスが内部を流れる内側部材と、環状に形成され、前記内側部材の外周の少なくとも一部を囲むように前記内側部材の外側に形成された排気熱回収媒体流路とを有し、前記排気熱回収媒体流路の端部では、前記排気熱回収媒体流路の外径が次第に小さくなっているとともに、この小さくなる割合が次第に小さくなっている排気熱回収器である。
【発明の効果】
【０００７】
本発明によれば、排気ガスの流れ方向における排気熱回収媒体流路の端での排気熱回収媒体のよどみの発生を防止し、排気熱回収媒体流路の端での排気熱回収媒体の沸騰を防止することができるという効果を奏する。
【図面の簡単な説明】
【０００８】
【図１】本発明の実施形態に係る排気熱回収器の概略構成を示す断面図である。
【図２】図１におけるＩＩ部の拡大図である。
【図３】比較例に係る排気熱回収器の概略構成を示す断面図である。
【発明を実施するための形態】
【０００９】
本発明の実施形態に係る排気熱回収器（排気熱回収装置）１は、たとえば、自動車の排気ガスの熱を回収するものであり、図１で示すように、内側部材（内管）３と、外側部材（外管）５とを備えて構成されている。
【００１０】
内管３は、筒状（たとえば、円筒状）に形成されており、内部を高温の排気ガスが流れるようになっている。すなわち、排気ガスは、内管３の中心軸の延伸方向で一方の側（上流側）から他方の側（下流側）に向かって、内管３の内部を流れるようになっている。高温の排気ガスは、自動車等のエンジンから排出されるガスであるが、高温の排気ガスが、他の高温のガスであってもよいし、他の高温の流体であってもよい。
【００１１】
外管５も、筒状（たとえば、円筒状）に形成されている。ただし、外管５は、たとえば、一対の小径部（たとえば、円筒状の小径部）７，９と、大径部（たとえば、円筒状の拡管部）１１とを備えて構成されている。外管５の中心軸の延伸方向で、一方の小径部７、拡管部１１、他方の小径部９がこの順にならんでいる、各小径部７，９の中心軸と、拡管部１１の中心軸はお互いが一致している。一方の小径部７の内径と、他方の小径部９の内径と、内管３の外径とはお互いが等しくなっており、拡管部１１の内径は、内管３の外径よりも大きくなっている。
【００１２】
また、外管５の小径部７，９と大径部１１との間に、移行部（内径と外径が変化している部位）１３が設けられている。移行部３は、たとえば、円錐台側面状に形成されており、排気ガスの流れ方向の上流側と下流側とに設けられている。
【００１３】
上流側の移行部（図１の左側の移行部）１３では、上流側から下流側に向かうにしたがって、内径が次第に大きくなっており、下流側の移行部（図１の右側の移行部）１３では、上流側から下流側に向かうにしたがって、内径が次第に小さくなっている。
【００１４】
ところで、本明細書では、移行部１３も大径部１１に含めることにする。したがって、より精確には、外管５の大径部１１は、一定の内径の大径部本体部１５と、一対の移行部１３とで構成されていることになる。
【００１５】
外管５が内管３に設置された状態では、内管３の中心軸と、外管５の中心軸とがお互いに一致している。また、外管５が内管３に設置された状態では、内管３や外管５の中心軸の延伸方向で、外管５の一方の小径部（上流側小径部）７の内面が、内管３の外面に係合（たとえば、面接触）しており、外管５の他方の小径部（上流側小径部）９の内面も、内管３の外面に係合（たとえば、面接触）している。
【００１６】
これにより、外管５の大径部１１と内管３とによって、環状（たとえば、円環状）の空間である排気熱回収媒体流路（排気熱回収媒体の通路）１７が形成されている。排気熱回収媒体流路１７は、内管３の外周の少なくとも一部（たとえば、中心軸の延伸方向で中間部）を囲むように、内管３の外側に形成されている。
【００１７】
また、排気熱回収媒体流路１７には、供給配管（図示せず）と、回収配管（図示せず）とが接続されている。そして、供給配管で供給された排気熱回収媒体（水等の液体）が、環状の排気熱回収媒体流路１７内を、環状の流路（たとえば、円形状の流線）に沿って流れ、回収配管によって回収されるようになっている。
【００１８】
ところで、図２で示すように、排気熱回収媒体流路１７の端部１９では、排気熱回収媒体流路１７の外径（移行部１３の内径）Ｄ１が、内管３の中心軸の延伸方向で、排気熱回収媒体流路１７の端の近傍２１から排気熱回収媒体流路１７の上流側端２３に向かうにしたがって（下流側から上流側に向かうにしたがって）次第に小さくなっている。
【００１９】
すなわち、図２の左側の移行部（上流側の移行部）１３では、図２で示すように、内管３の中心軸の延伸方向で、大径部１１と移行部１３との境界から、端の近傍２１までの間の部位２５では、排気熱回収媒体流路１７の外径Ｄ１の値が、大径部１１と移行部１３との境界から端の近傍２１に向かうにしたがって一定の割合で小さくなっている。
【００２０】
さらに、図１の左側の移行部１３では、図２で示すように、内管３の中心軸の延伸方向で、排気熱回収媒体流路１７の端の近傍２１から排気熱回収媒体流路１７の上流側端２３までの間の部位（端部）１９では、排気熱回収媒体流路１７の外径Ｄ１の値が、端の近傍２１から上流側端２３に向かうにしたがって（下流側から上流側に向かうにしたがって）、次第に小さくなっているとともに、この小さくなる割合が次第に小さくなっている。すなわち、端部１９の外周面を形成する曲線部２７の任意の点における接線の傾きが、上流側端２３から端の近傍２１に向かうにしたがって（図１の左から右に向かうにしたがって）次第に大きくなっている。
【００２１】
また、図１から理解できるように、図１の右側の移行部１３でも、図１の左側の移行部１３と同様に、排気熱回収媒体流路１７の外径Ｄ１の値が変化している。
【００２２】
なお、図１の右側の移行部（下流側の移行部）１３の端部１９において、排気熱回収媒体流路１７の外径Ｄ１が、内管３の中心軸の延伸方向で、排気熱回収媒体流路１７の端の近傍から下流側端に向かうにしたがって、一定の割合で次第に小さくなっている構成であってもよい。これにより、内管３の中心軸の延伸方向での排気熱回収媒体流路１７の寸法を小さくすることができる。
【００２３】
また、排気熱回収器１では、排気熱回収媒体流路１７の端部１９における、排気熱回収媒体流路１７の外周部の断面形状（内管３の中心軸を含む平面による断面の形状）が、半径Ｒ１の円弧状（内管３側に凸な円弧状）に形成されている。この一例により、端部１９おける上記構成（外径Ｄ１の値が、端の近傍２１から上流側端２３に向かうにしたがって次第に小さくなっているとともに、この小さくなる割合が次第に小さくなっている構成）が形成されている。
【００２４】
なお、半径Ｒ１の値は、３ｍｍ以下になっているが、さらに、詳しくは、半径Ｒ１の値の下限の値が、たとえば、１ｍｍになっている。さらには、半径Ｒ１の値の下限の値が０．５ｍｍであってもよい。
【００２５】
また、内管３の内部には、排気熱回収部材（コア）２９が設けられている。排気熱回収部材２９には、複数の排気流路３１が設けられている。排気熱回収部材２９は、外周の全周が内管３の内壁に接するようにして内管３の内部に設置されており、排気流路３１を流れる排気ガスの熱を回収するようになっている。
【００２６】
排気熱回収部材２９は、内管３内の排気ガスの流れ方向で、内管３の中間部に設けられており、排気ガスの総てが、排気熱回収部材２９の排気流路３１を通って、内管３内を流れるようになっている。
【００２７】
排気流路３１は、多数の貫通孔で構成されている。貫通孔は、内管３の中心軸の延伸方向に延びており、排気ガスの流れ方向で排気熱回収部材２９よりも上流側に位置している内管３の内部と、排気ガスの流れ方向で排気熱回収部材２９よりも下流側に位置している内管３の内部とをお互いにつないでいる。また、各貫通孔は、内管３の中心軸の延伸方向から見ると、ほぼ均等に分散しており、排気熱回収部材２９で回収された熱が内管３に伝わるようになっている。
【００２８】
なお、排気ガスの流れ方向（内管３や外管５の中心軸の延伸方向）で、排気熱回収媒体流路１７の上流側端２３が排気熱回収部材９の上流側端３３よりも上流側に位置している。また、排気ガスの流れ方向で、排気熱回収媒体流路１７の下流側端が排気熱回収部材２９の下流側端よりも下流側に位置している。
【００２９】
また、排気熱回収器１では、図１に示すように、寸法（排気熱回収媒体流路１７の上流側端２３と排気熱回収部材２９の上流側端３３との間の寸法）Ｘ１の値と寸法（排気熱回収媒体流路１７の下流側端と排気熱回収部材２９の下流側端との間の寸法）Ｘ２の値とがお互いに等しくなっているが、寸法Ｘ１の値が寸法Ｘ２の値より大きくなっていてもよい。
【００３０】
排気熱回収器１は、図示しない配管によって、自動車のエンジンに接続されている。
【００３１】
次に、排気熱回収器１の動作について説明する。
【００３２】
自動車のエンジンが稼働しており、高温の排気ガスが図１の左側から右側に向かって、内管３内を流れており、排気熱回収媒体流路１７内を排気熱回収媒体が流れている。
【００３３】
このとき、排気熱回収部材２９で排気ガスの熱を吸収し、この吸収した熱が、排気熱回収部材２９と内管３とを通って、排気熱回収媒体流路１７内の排気熱回収媒体を温める。
【００３４】
排気熱回収媒体流路１７内を流れている排気熱回収媒体について説明する。
【００３５】
排気熱回収媒体は粘性を備えている。これにより、排気熱回収媒体の流れにおいて、図２に示すように、流路壁面と流体との間の摩擦抵抗により、上記摩擦抵抗の影響をほとんど受けない流速の速い領域３５（３５Ａ，３５Ｂ，３５Ｃ）が生成される。
【００３６】
この流速の速い領域３５の断面形状（流れ方向に対して直交する平面による断面形状）は、所定の流体直径（水流直径）を有する円形状になる。さらに、上記円形の外周の一部（たとえば、お互いが離れている３点）は、流路壁面にほぼ接触するか、他の流速の速い領域の円に接触している。
【００３７】
排気熱回収器１によれば、図２で示すように、排気熱回収媒体流路１７の端部１９で、排気熱回収媒体流路１７の外径Ｄ１が端の近傍２１から上流側端２３に向かうにしたがって次第に小さくなっているとともに、この小さくなる割合が次第に小さくなっているので、排気熱回収媒体流路１７の端部１９での排気熱回収媒体のよどみの発生を抑制することができ（流速が遅いか「０」である部位を極力小さくすることができ）、排気熱回収媒体流路１７の端部１９での排気熱回収媒体の沸騰を極力防止することができる。
【００３８】
さらに説明すると、比較例である図３に示す排気熱回収器では、排気熱回収媒体流路１７の端部で、排気熱回収媒体流路１７の外径が端の近傍から端に向かうにしたがって次第に小さくなっているが、この小さくなる割合が一定になっている。これによって、各サイズの水流直径の流れ３７（３７Ａ，３７Ｂ，３７Ｃ）が形成される。
【００３９】
これに対して、本発明の実施形態に係る排気熱回収器１では、上述したように、各サイズの水流直径の領域（流れ）３５（３５Ａ，３５Ｂ，３５Ｃ）が形成される。
【００４０】
図３に示す各サイズの水流直径の流れ３７（３７Ａ，３７Ｂ，３７Ｃ）と、図２に示す各サイズの水流直径の流れ３５（３５Ａ，３５Ｂ，３５Ｃ）とを比較すると、図２に示す各サイズの水流直径の流れ３５Ｂ，３５Ｃのほうが、図３に示す各サイズの水流直径の流れ３７Ｂ，３７Ｃよりも大きくなっている。これにより、排気熱回収媒体流路１７の端部１９での排気熱回収媒体のよどみの発生を抑制することができる。
【００４１】
排気熱回収媒体流路１７の端部１９での排気熱回収媒体の沸騰を防止することで、排気ガスから排気熱回収媒体へ効率良く熱を伝達することができる。
【００４２】
また、排気熱回収器１によれば、排気ガスの流れ方向で、排気熱回収媒体流路１７の上流側端２３と下流側端との間に排気熱回収部材２９が位置しているので、排気熱回収媒体流路１７の端部１９での排気熱回収媒体の沸騰をさらに防止することができる。
【符号の説明】
【００４３】
１  排気熱回収器
３  内側部材（内管）
１７  排気熱回収媒体流路
１９  排気熱回収媒体流路の端部
２３  排気熱回収媒体流路の上流側端
２９  排気熱回収部材
３３  排気熱回収部材の上流側端
Ｄ１  排気熱回収媒体流路の外径
Ｒ１  円弧の半径
【図１】
2017015044.tif 000003
【図２】
2017015044.tif 000004
【図３】
2017015044.tif 000005